(57)【特許請求の範囲】
【請求項１】
ミスト用水を加熱してミスト噴霧させるミスト発生装置と、給湯機能を有し給湯配管を介して上記ミスト発生装置に対し給湯可能に接続された熱源機とを備えたミスト発生システムであって、
上記ミスト発生装置に対し給水配管からの給水及び上記給湯配管からの給湯のいずれか一方をミスト用水として選択的に切換供給するミスト用水切換手段と、
このミスト用水切換手段により切換供給される上記ミスト用水を熱交換加熱する液・液熱交換器と、
上記熱源機に設けられて熱源機側の給湯運転状態に関する情報を上記ミスト発生装置に対し送信する情報送信手段と、
この情報送信手段から送信される上記給湯運転状態に関する情報に基づき、上記ミスト用水切換手段によるミスト用水の供給切換により、上記給湯配管からの給湯を受けて上記液・液熱交換器で再加熱した上でミスト噴霧させる給湯ミスト運転又は上記給水配管からの給水を受けて上記液・液熱交換器で加熱した上でミスト噴霧させる給水ミスト運転に切換制御する供給切換制御手段と
を備えていることを特徴とするミスト発生システム。
【請求項２】
請求項１に記載のミスト発生システムであって、
上記熱源機は浴槽に対する湯張り機能を備え、かつ、その熱源機の作動を制御する熱源機コントローラが湯張り指令に基づく湯張りと、湯張り以外の給湯との同時運転を規制して、湯張りの実行よりもその湯張り以外の給湯を優先させる制御を実行するように構成され、
上記情報送信手段から送信する給湯運転状態に関する情報が、上記湯張り指令が出力されている旨の情報である、ミスト発生システム。
【請求項３】
請求項２に記載のミスト発生システムであって、
上記供給切換制御手段は、上記情報送信手段から湯張り指令が出力されている旨の情報を受信したとき、上記給湯ミスト運転から給水ミスト運転へ切換えるように上記ミスト用水切換手段による供給切換を切換制御するように構成されている、ミスト発生システム。
【請求項４】
請求項１に記載のミスト発生システムであって、
上記熱源機の作動を制御する熱源機コントローラは、給湯燃焼状態が設定経過時間に亘り連続することを条件に給湯作動を強制停止させる安全制御手段を備え、
上記情報送信手段から送信する給湯運転状態に関する情報が、上記安全制御手段による制御指標である給湯燃焼状態の連続時間に関する情報である、ミスト発生システム。
【請求項５】
請求項４に記載のミスト発生システムであって、
上記供給切換制御手段は、上記情報送信手段から受信する給湯燃焼状態の連続時間に関する情報に基づき、上記給湯ミスト運転から給水ミスト運転へ切換えるように上記ミスト用水切換手段による供給切換を切換制御するように構成されている、ミスト発生システム。
【請求項６】
請求項１に記載のミスト発生システムであって、
上記ミスト発生装置は浴室空間に対しミストを放出するように浴室乾燥機に備えられたものであり、
上記情報送信手段からの送信は、熱源機から上記浴室乾燥機に備えられた上記ミスト発生装置に対し行われるように構成されている、ミスト発生システム。
【発明の詳細な説明】
【技術分野】
【０００１】
本発明は、例えば浴室等において、その室内空間に対し加熱された湯水をミストにして噴霧することによりサウナ感を得るためなどに用いられるミスト発生システムに関する。
【背景技術】
【０００２】
従来、ミスト生成用の湯水として給湯器等の熱源機からの給湯を利用するものが知られている（例えば特許文献１参照）。この特許文献１には、熱源機には給湯に係る特有事情、すなわち、給湯使用時の安全のために一定時間（例えば１時間）連続して給湯使用すると自動的に給湯を停止し燃焼を強制的に停止させるという、内蔵タイマを用いた自動安全制御が行われているという特有事情があること、この結果、ミストの継続使用中に上記の給湯の自動停止が作動してしまいミストの使用が中断されてしまうケースも起こり得ること、が記載されている。これを解決するために、上記のミスト発生のための運転を開始した場合には、上記内蔵タイマによるタイムアップの前に熱源機の燃焼を一旦停止させ、これにより内蔵タイマのタイマカウントをキャンセルした上で燃焼を再開させるという制御を行うことが、上記特許文献１にて提案されている。
【０００３】
【特許文献１】特開２００１−１９８１７８号公報
【発明の開示】
【発明が解決しようとする課題】
【０００４】
しかしながら、上記の如く燃焼を一旦停止させると、安全制御のための内蔵タイマのタイマカウントはキャンセルし得るものの、給湯も同時に停止してしまう結果、給湯を使用してのミスト生成も停止してしまい、ミストの利用も不能となってしまうという不都合がある。
【０００５】
そもそも、上記の一定時間の連続燃焼が発生すれば安全のために燃焼を強制停止させるという制御は、ユーザによる給湯栓の閉め忘れや、ユーザは閉めたにも拘わらず機器故障が生じたなどのユーザが意図しない状況に陥るケースを想定して付加されたものである。かかる安全のための制御の存在に起因して、ミストの連続使用が上記の一定時間の範囲内に制限され、それ以上の長時間に亘るミストの連続使用が不能となるという事態を招いている。そして、実際にミストの連続使用が上記の一定時間を超過すると、上記の安全制御により給湯が停止されてしまうため、再度のミスト使用を可能にするためにユーザに余分な操作を強いることになる。すなわち、上記の安全制御に基づく燃焼停止処理を解除して再度のミスト使用が可能な状態にするために、熱源機の例えば運転スイッチを一旦ＯＦＦにしてから再度ＯＮにすることにより制御をリセットさせるという操作が必要になる。
【０００６】
又、熱源機が浴槽への給湯によるふろ湯張り機能を有する場合には、ふろ湯張り以外の給湯使用中においては、ふろ湯張りスイッチのＯＮ操作等によりふろ湯張り指令がたとえ出力されたとしても、他の給湯使用が終了するまでふろ湯張りの実行を待機させたり、あるいは、ふろ湯張りの実行中にそれ以外の給湯使用が発生すると、その給湯使用が終了するまでふろ湯張りを一時中断させたりするというように、ふろ湯張り以外の給湯使用を優先させる給湯優先制御が行われることがある。
【０００７】
ところが、このような制御を有する熱源機からの給湯をミスト用水として利用する場合には、ふろ湯張り途中においてミスト噴霧を開始させて浴室内を昇温させようとすると、そのミスト噴霧による給湯使用によりふろ湯張りが中断されてしまい、浴室内がミスト噴霧により十分に暖まったとしても、ふろ湯張り自体がまだ完了していない、という事態が生じることになる。つまり、ミスト用水として熱源機からの給湯を利用しようとすると、上記の安全制御の場合と同様に、熱源機側の制御内容に基づく制限を受けて、ミスト噴霧の活用による快適性等の享受や実現を損ねてしまうことがある、という不都合が生じるのである。
【０００８】
一方、これらの不都合を解消させるために、熱源機側の制御内容に変更を加えることも考えられるものの、給湯を利用する他の給湯先の事情を全て考慮して全てを満足させることは困難であり、熱源機側ではなくてミスト発生のための装置側での対策が要請される。
【０００９】
本発明は、このような事情に鑑みてなされたものであり、その目的とするところは、熱源機からの給湯を利用するミスト発生システムにおいて、熱源機側の制御内容に基づく制限や、あるいは、熱源機側の制御事情に基づき、ユーザによるミスト使用が中断されたり、快適なミスト使用が妨げられたりすることのないミスト発生システムを提供することにある。
【課題を解決するための手段】
【００１０】
上記目的を達成するために、本発明では、ミスト用水を加熱してミスト噴霧させるミスト発生装置と、給湯機能を有し給湯配管を介して上記ミスト発生装置に対し給湯可能に接続された熱源機とを備えたミスト発生システムを対象として次の特定事項を備えることとした。すなわち、上記ミスト発生装置に対し給水配管からの給水及び上記給湯配管からの給湯のいずれか一方をミスト用水として選択的に切換供給するミスト用水切換手段と、このミスト用水切換手段により切換供給される上記ミスト用水を熱交換加熱する液・液熱交換器と、上記熱源機に設けられて熱源機側の給湯運転状態に関する情報を上記ミスト発生装置に対し送信する情報送信手段と、この情報送信手段から送信される上記給湯運転状態に関する情報に基づき、上記ミスト用水切換手段によるミスト用水の供給切換により、上記給湯配管からの給湯を受けて上記液・液熱交換器で再加熱した上でミスト噴霧させる給湯ミスト運転又は上記給水配管からの給水を受けて上記液・液熱交換器で加熱した上でミスト噴霧させる給水ミスト運転に切換制御する供給切換制御手段とを備えることとした（請求項１）。
【００１１】
本発明の場合、供給切換制御手段において、上記情報送信手段から送信される熱源機側の給湯運転状態に関する情報に基づき、ミスト用水切換手段により供給切換えしてミスト用水として給湯から給水に切換えて給湯ミスト運転から給水ミスト運転に切換制御することにより、ミスト発生装置では熱源機に依存することなく独立してミスト噴霧することが可能になる。つまり、熱源機からの給湯が熱源機側の制御等に起因して使用不能になったとしても、それまで給湯をミスト用水として用いてミスト噴霧する給湯ミスト運転に代えて、給水をミスト用水として用いて加熱した上でミスト噴霧する給水ミスト運転に切換えることにより、ミスト噴霧を中断させることなく継続して使用することが可能になる。
【００１２】
本発明をさらに具体化すると、上記熱源機は浴槽に対する湯張り機能を備え、かつ、その熱源機の作動を制御する熱源機コントローラとして湯張り指令に基づく湯張りと、湯張り以外の給湯との同時運転を規制して、湯張りの実行よりもその湯張り以外の給湯を優先させる制御を実行するように構成し、上記情報送信手段から送信する給湯運転状態に関する情報として、上記湯張り指令が出力されている旨の情報とすることができる（請求項２）。この場合には、湯張り指令と、ミスト用水としての給湯使用とが同時に発生し、熱源機側の本来の制御であれば、同時運転が規制されるところ、その湯張り指令の出力が情報送信手段により情報伝達され、この情報に基づいて供給切換制御手段による切換制御が行われることにより、上記の規制に基づく不都合の解消を図ることが可能となる。すなわち、上記供給切換制御手段として、上記情報送信手段から湯張り指令が出力されている旨の情報を受信したとき、上記給湯ミスト運転から給水ミスト運転へ切換えるように上記ミスト用水切換手段による供給切換を切換制御する構成とすればよい（請求項３）。これにより、ミスト噴霧を中断させることなく継続して使用することが可能になる上に、同時に湯張りの実行も可能となる。
【００１３】
又、上記熱源機の作動を制御する熱源機コントローラとして、給湯燃焼状態が設定経過時間に亘り連続することを条件に給湯作動を強制停止させる安全制御手段を備えたものとし、上記情報送信手段から送信する給湯運転状態に関する情報として、上記安全制御手段による制御指標である給湯燃焼状態の連続時間に関する情報とすることができる（請求項４）。この場合には、送信される連続時間に関する情報に基づき熱源機側での安全制御により給湯作動の規制停止時期が予測され、この予測に基づき供給切換制御手段により事前にミスト用水として給水を用いるように供給切換えすることが可能になり、上記の安全制御の実行に起因する不都合の解消を図ることが可能となる。すなわち、上記供給切換制御手段として、上記情報送信手段から受信する給湯燃焼状態の連続時間に関する情報に基づき、上記給湯ミスト運転から給水ミスト運転へ切換えるように上記ミスト用水切換手段による供給切換を切換制御する構成とすることができる（請求項５）。これにより、ミスト発生装置を熱源機側の安全制御と切り離すことが可能になる一方、ミスト噴霧を中断させることなく継続して使用することが可能になる。
【００１４】
さらに、本発明において、上記ミスト発生装置を、浴室空間に対しミストを放出するように浴室乾燥機に備えたものとし、上記情報送信手段からの送信として、熱源機から上記浴室乾燥機に備えられた上記ミスト発生装置に対し行われる構成とすることができる（請求項６）。この場合には、浴室乾燥機にミスト発生装置を併設することにより、熱源機と浴室乾燥機との間の通信の有効活用を図ることが可能になる。
【発明の効果】
【００１５】
以上、説明したように、請求項１〜請求項６のいずれかのミスト発生システムによれば、情報送信手段から送信される熱源機側の給湯運転状態に関する情報に基づき、ミスト用水の供給切換制御することができ、これにより、熱源機に依存することなくミスト発生装置の側で独立してミスト噴霧することができるようになる。つまり、熱源機からの給湯が熱源機側の制御等に起因して使用不能になったとしても、給水をミスト用水として用いて加熱した上でミスト噴霧する給水ミスト運転に切換えることにより、ミスト噴霧を中断させることなく継続して使用することができるようになる。
【００１６】
特に、請求項２によれば、湯張り指令と、ミスト用水としての給湯使用とが同時に発生し、熱源機側の本来の制御であれば、同時運転が規制されるところ、湯張り指令の出力情報に基づいて供給切換制御手段による切換制御が行われることにより、同時運転規制に基づく不都合の解消を図ることができるようになる。この場合、請求項３によれば、ミスト噴霧を中断させることなく継続して使用することができる上に、同時に熱源機側では湯張りの実行も行うことができるようになる。これにより、浴室空間にミスト噴霧を適用した場合には、ミスト噴霧の快適な使用を享受することができるようになる。
【００１７】
請求項４によれば、送信される連続時間に関する情報に基づき熱源機側での安全制御により給湯作動の規制停止時期を予測して、この予測に基づき事前にミスト用水の供給切換を制御することができ、熱源機側の安全制御の実行に起因する不都合の解消を図ることができるようになる。この場合、請求項５によれば、ミスト発生装置を熱源機側の安全制御と切り離すことができる一方、ミスト噴霧を中断させることなく継続して使用することができるようになる。
【００１８】
請求項６によれば、浴室乾燥機にミスト発生装置を併設することにより、熱源機と浴室乾燥機との間の通信の有効活用を図ることができるようになる。
【発明を実施するための最良の形態】
【００１９】
以下、本発明の実施形態を図面に基づいて説明する。
【００２０】
図１は、本発明の実施形態に係るミスト発生装置を浴室乾燥機に併設したミスト発生システムを示す。つまり、ミストを放出する対象の室内空間として浴室空間Ｒに適用したものを示す。この浴室乾燥機は、給湯機能及び温水循環式暖房機能を併有する熱源機２と、ミスト用水を生成・準備する室外機としてのミストユニット３と、室内機としての室内ユニット４と、換気装置５とを備えたものである。
【００２１】
上記熱源機２は、温水循環経路内の温水又は不凍液等の熱媒を加熱して外部の暖房端末に循環供給する温水循環系２１と、給湯経路内の給水を加熱して外部の給湯先に給湯する給湯系２２とを個別に備えたものである。これら温水循環系２１と給湯系２２とは、それぞれ互いに独立した燃焼缶体を備え、いわゆる２缶２水路に構成されたものである。そして、これらの燃焼作動等が熱源機コントローラ２３によって制御されるようになっている。従って、必ずしも１つの熱源機２である必要はなく、温水循環系２１のみで構成された第１の熱源機と、給湯系２２のみで構成された第２の熱源機との２つを用いてもよい。
【００２２】
上記温水循環系２１からは種々の暖房端末に対し加熱後の熱媒（以下、「高温水」という）を熱源として循環供給するための循環路が接続されており、その一部として、暖房往路２４及び暖房戻路２５からなる循環路が上記ミストユニット３を経由して室内ユニット４内の後述の放熱用熱交換器４２まで延びている。これら暖房往路２４及び暖房戻路２５は上記ミストユニット３内においてそれぞれ分岐されて、後述のミスト用水加熱手段としての液・液熱交換器３１に対し高温水を加熱用熱源として循環供給し得るようになっている。すなわち、暖房往路２４から分岐した暖房往分岐路２４１が熱媒供給切換部としての閉止機能付き流量調整弁である水比例弁３１１を介して液・液熱交換器３１の入口に接続され、この液・液熱交換器３１の出口に接続された暖房戻分岐路２５１が暖房戻路２５に対し合流されている。これにより、暖房往分岐路２４１から液・液熱交換器３１に供給された高温水が放熱後（熱交換加熱後）に低温となり、低温となった熱媒である低温水が暖房戻分岐路２５１を通して温水循環系２１に戻されるようになっている（図１の矢印参照）。
【００２３】
上記温水循環系２１の例を図２に基づいて説明すると、この温水循環系２１は膨張タンク２１１内に貯留された低温水を循環ポンプ２１２の作動により熱交換器２１３に送り、燃焼バーナ２１４の燃焼熱との熱交換により加熱して高温水とした上で、この高温水を熱源要求のある暖房端末（例えば床暖房ユニット等）に供給するようになっている。そして、暖房端末での放熱により低温となった低温水が上記膨張タンク２１１に戻されて循環されるようになっている。上記の暖房端末の一つとして上記の放熱用熱交換器４２があり、この熱交換器４２に対し温水循環系２１から高温水が上記暖房往路２４を通して供給され、熱交換器４２から低温水が暖房戻路２５を通して膨張タンク２１１に戻されるようになっている。
【００２４】
又、上記給湯系２２からは種々の給湯先（台所カラン２６１，シャワーカラン２６２等）への給湯配管が接続されており、その一部として給湯配管６１が上記液・液熱交換器３１（図１参照）に対し熱交換加熱対象のミスト用水として給湯し得るように接続されている。上記給湯系２２では、いずれかの給湯先が開かれて給水配管６２から入水路２２１への入水が最低作動流量以上になったことの検出出力を入水流量センサ２２２から受けて熱源機コントローラ２３により燃焼バーナ２２３の燃焼が開始され、熱交換器２２４において入水が燃焼熱により熱交換加熱されて出湯路２２５へ出湯された後、給湯配管６１を含む種々の給湯配管に給湯されるようになっている。なお、図２中、符号２２６は出湯路２２５に介装されて出湯温度を検出する出湯温度センサ、符号２２７は出湯路２２５から給湯配管への給湯流量を調整する閉止機能付きの流量調整弁である。又、上記の給水配管６２及び後述の給水配管６３は共に上流端が水道管に接続され、水道水の供給圧又は減圧調整後の供給圧が作用している。
【００２５】
さらに、後述の第１実施形態に特有の設備として、上記給湯系２２から浴槽Ｂへの注湯によるふろ湯張りと、その浴槽Ｂ内の湯水の追い焚きとが可能となっている。すなわち、給湯系２２には、追い焚き用の熱交換器２４１と、この熱交換器２４１に浴槽Ｂ内の湯水を循環させて追い焚きさせる往き路２４２ａ及び戻り路２４２ｂからなる追い焚き循環路２４２とが配設される一方、この追い焚き循環路２４２に対し出湯路２２５からの給湯を湯張り用に注湯する注湯電磁弁２４３が配設されている。そして、注湯電磁弁２４３を開制御することにより、浴槽Ｂへのふろ湯張りが開始されるようになっている。なお、かかる設備は後述の第２実施形態においては必須ではない。
【００２６】
図１に戻り、上記ミストユニット３は浴室空間Ｒの外部に設置され、液・液熱交換器３１と、水比例弁３１１と、液・液熱交換器３１に対する高温水の供給及び加熱対象のミスト用水の切換等を制御するミストユニットコントローラ３２とを備えている。上記液・液熱交換器３１には、ミスト用水の導入側、すなわち上記の高温水により液・液熱交換加熱される被加熱側入口に対し、上記の給湯配管６１が給湯電磁弁６１１及び給湯流検知手段としての給湯流量センサ６１２を介して接続される一方、給水配管６３も給水電磁弁６３１を介して接続されている。なお、これら給湯配管６１及び給水配管６３にはストレーナや、凍結予防ヒータがそれぞれ介装されている。
【００２７】
そして、上記液・液熱交換器３１の被加熱側出口にはミスト用水供給配管６４の上流端が接続され、このミスト用水供給配管６４の下流端は上記室内ユニット４のミスト噴霧ノズル４４ａ等に接続されている。これにより、上記液・液熱交換器３１で所定温度まで加熱・昇温された後のミスト用水がミスト噴霧ノズル４４ａ等に供給されるようになっている。上記ミスト用水供給配管６４には、加熱後のミスト用水の温度を検出するミスト温度センサ（サーミスタ）６４１と、開閉切換によりミスト用水の供給の開始・停止を切換えるミスト電磁弁６４２とが介装されている。又、上記ミスト用水供給配管６４から排水用配管６５が排水電磁弁６５１を介して分岐されており、内部の残留水等の所定温度に未到達の湯水を排水し得るようになっている。
【００２８】
上記の給湯電磁弁６１１及び給水電磁弁６３１がその開閉切換により液・液熱交換器３１に供給するミスト用水として給湯か給水かの供給切換えを行うミスト用水切換手段を構成し、これらの電磁弁６１１，６３１による供給切換と、水比例弁３１１による高温水を供給するか否かの切換と、ミスト電磁弁６４２によるミスト用水を供給するか否かの切換となどがミストユニットコントローラ（室外機コントローラ）３２により制御されるようになっている。
【００２９】
上記室内ユニット４は浴室空間Ｒの天井にはめ込まれる天井設置タイプと、浴室空間Ｒの側壁に取り付けられる壁掛け設置タイプとがある。本実施形態では壁掛け設置タイプとして説明する。その例として図３にも示すように、室内ユニット４は、ケーシング４１内に温風生成用の熱交換器４２及び送風機（循環ファン）４３が配設されると共に、ミスト放出手段としての２以上（図例では４つ）のミストノズル４４ａ，４４ａ，４４ｂ，４４ｂと、開閉切換によりミストを噴霧させるノズル数を変更するための切換電磁弁４５と、以上の機器の作動制御を行う室内ユニットコントローラ（室内機コントローラ）４６とが配設されている。なお、図３では上記の切換電磁弁４５及び室内ユニットコントローラ４６の図示を共に省略している。上記の温風生成用の熱交換器４２及び送風機（循環ファン）４３により温風吹出手段が構成されている。
【００３０】
上記送風機４３が上記室内ユニットコントローラ４６により送風作動されると、ケーシング４１の上部の吸い込み口４１１から浴室空間Ｒの内気を熱交換器４２に対し外側から内側に通過させて吸い込む一方、続いて熱交換器４２に対し内側から外側に通過させた上で温風吹き出し口４１２から浴室空間Ｒに向けて吹き出させることになる。上記の熱交換器４２の通過の際に、熱交換器４２に対し熱動弁４２１（図１参照）を介して循環供給されている高温水の放熱を受けて所定温度まで加熱・昇温されて温風に変換され、この温風が浴室空間Ｒに対し吹き出されるようになっている。温風吹き出し口４１２には、ルーバーモータ４７により首振り傾動されるルーバー４７１が設置され、このルーバー４７１の傾動角度の変更設定により温風の吹き出し方向が変更されるようになっている。このような温風吹き出し機能によって浴室乾燥機が構成されることになる。以上の送風機４３の作動、熱動弁４２１の開作動による高温水の循環供給、及び、ルーバーモータ４７の作動によるルーバー４７１の傾動角度設定等の温風吹き出しのための作動制御、並びに、これらの作動制御を吸気温度の検出により室内温度を検出する室内温度センサ４８の検出温度や湿度センサ４９の検出湿度等に基づいて行う温度及び湿度の管理制御等が室内ユニットコントローラ４６によって実行されるようになっている。
【００３１】
上記ケーシング４１の下部位置に水平方向に互いに離間して配設された４つの内、中央の２つのミストノズル４４ａ，４４ａは正面の斜め下方に向けてミストが噴霧（放出）されるように位置付けられ、左右両側の２つのミストノズル４４ｂ，４４ｂは左右両側方に向けてミストが噴霧されるように位置付けられている。つまり、室内ユニット４の正面にユーザが位置すると、その頭部から上半身にかけて上記中央のミストノズル４４ａ，４４ａから噴霧されたミストが吹き付けられる一方、両側のミストノズル４４ｂ，４４ｂはユーザの体には直接には当たらないようになっている。これにより、後述のミスト噴霧量（ミスト放出量）の切換えと相まってユーザが良好なサウナ感を得られるようにしている。
【００３２】
又、切換電磁弁４５は、閉状態にするとミスト用水供給配管６４からのミスト用水が中央の２つのミストノズル４４ａ，４４ａだけに供給される一方、開状態にすると上記ミスト用水が４つ全てのミストノズル４４ａ，４４ａ，４４ｂ，４４ｂに供給されるようになっている。上記の各ミストノズル４４ａ，４４ｂは、供給されたミスト用水を給水源圧力に基づいて噴き出させることにより浴室空間Ｒに対しミストを噴霧するように構成されている。従って、ミスト用水の供給されるミストノズルの数が多いほど、浴室空間Ｒに対するミスト噴霧量は多くなる。以上より、上記切換電磁弁４５の開閉切換により浴室空間Ｒに対するミスト噴霧量を大小切換えすることができるようになっており、この切換電磁弁４５の開閉切換がミストユニットコントローラ３２からの制御信号を受けて室内ユニットコントローラ４６によって制御されるようになっている。
【００３３】
上記換気装置５は、換気ファン５１の作動により浴室空間Ｒ内の内気を外部に排出させるようになっている。
【００３４】
次に、各種コントローラによる制御について説明する。図４にも示すように、ミストユニットコントローラ３２と熱源機コントローラ２３とは有線又は無線により双方向通信が可能に接続され、又、ミストユニットコントローラ３２と室内ユニットコントローラ４６とも有線又は無線により双方向通信が可能に接続されている。そして、上記ミストユニットコントローラ３２は例えばワイヤレス式のリモコン７からの入力指令や、ミスト温度センサ６４１，給湯流量センサ６１２もしくは室内温度センサ４８等からの検出情報に基づいて熱源機コントローラ２３や室内ユニットコントローラ４６に対し制御信号を送出するなどして、３つのコントローラ２３，３２，４６が協働して浴室空間Ｒに対するミスト噴霧を制御するようになっている。従って、コントローラ２３，３２，４６によってミスト制御手段８が構成されることになる。なお、上記のミストユニットコントローラ３２と熱源機コントローラ２３との間の通信は、少なくとも熱源機コントローラ２３の後述の情報送信部２３ａからミストユニットコントローラ３２への一方向の情報通信が可能であればよい。
【００３５】
上記のリモコン７は、現在状況に関する情報を含む各種情報をユーザに報知するための表示部もしくは音声出力部や、各種スイッチを備えている。各種スイッチとしては、ミスト噴霧運転、浴室乾燥運転又は換気運転等をＯＮ・ＯＦＦする運転スイッチの他に、例えば浴室空間Ｒをサウナ化するための自動運転スイッチ、ユーザの望むだけミスト噴霧運転を継続させたりミスト噴霧量を変更させたりし得るマニュアル運転スイッチや、浴室空間Ｒ内の室内温度を何度にする、又は、室内温度として既に設定されている値を変更する、もしくは、現在温度よりも上げたいか下げたいかなどの室内温度の設定や変更に関する設定スイッチを備えている。
【００３６】
上記のミストユニットコントローラ３２には設定室内温度としてサウナ感が得られるか否かの境界温度（例えば４０℃〜４５℃）が予め設定され、上記の自動運転スイッチによる自動運転がユーザにより選択された場合には、上記の設定室内温度と現在の検出室内温度との比較に基づいて、ミスト用水の供給流量を大流量にして大噴霧量のミスト噴霧を実行させるか、小流量にして小噴霧量のミスト噴霧を実行させるかの切換制御を上記のミスト制御手段８により行い、快適なサウナ感を早期に得られるようにしている。
【００３７】
上記の室内温度に基づく自動運転について基本の制御を説明すると、まずミスト運転についての運転スイッチがＯＮされた場合、浴室空間Ｒの室内温度（室内温度センサ４８による検出室内温度）は設定室内温度よりもまだ低いままであるため、熱源機２からの給湯を再加熱した上でミスト用水として室内ユニット４に供給して大噴霧量でのミスト噴霧を実行させる。すなわち、水比例弁３１１を開いて液・液熱交換器３１に高温水を加熱用熱源として循環供給させる一方、給水電磁弁６３１を閉じ給湯電磁弁６１１を開けて給湯系２２からの給湯をミスト用水として上記液・液熱交換器３１に供給する。なお、この際、熱源機２の温水循環系２１では図外の暖房端末等のために高温水が循環供給可能の状態になっており、上記の水比例弁３１１を開けば高温水が液・液熱交換器３１に循環供給されるようになっている。又、熱源機２の給湯系（給湯用の燃焼缶体）２２において最低作動流量が流れることにより燃焼が開始され所定温度の給湯になるまで、すなわち、立ち上がり時は排水用配管６５から排水される。
【００３８】
そして、上記給湯は液・液熱交換器３１において熱源としての高温水により再加熱された後、ミスト用水としてミスト用水供給配管６４を通して室内ユニット４に供給する。このとき切換電磁弁４５を開状態に変換し、ミスト用水配管６４からのミスト用水を４つ全てのミストノズル４４ａ，４４ａ，４４ｂ，４４ｂから噴霧させる。この４つ全てのミストノズル４４ａ，４４ａ，４４ｂ，４４ｂからの大量のミスト噴霧により浴室空間Ｒは早期に温度・湿度共に上昇する。ここで、以上のようなミスト用水として給湯を受けて再加熱した上でミスト噴霧するというミスト噴霧運転のことを、給湯再加熱によるミスト噴霧、すなわち給湯ミスト運転と呼ぶことにする。
【００３９】
そして、室内温度センサ４８による検出室内温度が設定室内温度を超えれば、浴室空間Ｒのサウナ化が所定レベルまで到達した、つまりサウナ感が得られる室内環境まで到達したと判断して、次に、この室内環境を維持し得る程度の小噴霧量のミスト噴霧に切換・変更する。この切換・変更は上記の給湯再加熱によるミスト噴霧（給湯ミスト運転）から、ミスト用水として給水を受けて加熱した上でミスト噴霧するという給水加熱によるミスト噴霧、すなわち給水ミスト運転に変更する。具体的には、給水電磁弁６３１の開切換作動、給湯電磁弁６１１の閉切換作動、及び、切換電磁弁４５の閉切換作動を実行させ、液・液熱交換器３１に供給するミスト用水を給湯から給水に切換えると共に、ミスト噴霧するミストノズルの数を４つ全てから中央側の２つのミストノズル４４ａ，４４ａに切換えてミスト噴霧量を小噴霧量に低減させる。これにより、浴室空間Ｒを上記のサウナ感が得られる室内環境に維持させることができる一方、室内ユニット４の前にユーザが立てば上記中央側の２つのミストノズル４４ａ，４４ａから緩やかなミスト噴霧を頭部や上半身に受けることができる。この際、ミスト噴霧が小噴霧量に絞られて液・液熱交換器３１に供給される給水流量も小流量に絞られるため、暖房往路２４からの高温水との液・液熱交換により早期に熱交換加熱されて所定温度のミスト用水として室内ユニット４に供給されることになる。
【００４０】
なお、上記の自動運転制御によるミスト噴霧運転において、ユーザがもう少し熱い方がよいと感じれば、リモコン７により設定室内温度としてもう少し高い温度を設定変更すればよく、逆にもう少しぬるい方がよいと感じれば、同様にして設定室内温度としてもう少し低い温度を設定変更することができる。
【００４１】
以上の構成を前提として熱源機２側の特に給湯系２２における特有な制御内容等に起因して、快適なミスト噴霧の活用を図ることができない事態が発生することを回避してふろ湯張りと共に快適なミスト噴霧を享受し得るようにしたり、適正なミスト噴霧が継続し得ない事態が発生することを回避してミスト噴霧が中断されることなくユーザが望むだけ連続して継続させ得るようにしたりするための制御内容について、以下の各実施形態に示す。
【００４２】
＜第１実施形態＞
第１実施形態は、熱源機２の熱源機コントローラ２３が図示省略の熱源機用リモコンのふろ湯張りスイッチのＯＮ操作に基づくふろ湯張り指令を受けて注湯電磁弁２４３を開くことにより浴槽Ｂへのふろ湯張りを実行するふろ湯張り制御を備え、かつ、このふろ湯張り以外の給湯使用があるときには上記のふろ湯張りの実行よりもその給湯使用を優先させる給湯優先制御を備えている場合において、これに起因する不都合を回避するためにミスト制御手段８で実行される対策制御である。
【００４３】
上記の給湯優先制御により熱源機２側では、ふろ湯張りの実行中に給湯ミスト運転の開始、つまり給湯路６１を通しての給湯が開始されると、この給湯を優先させて給湯が終了するまでふろ湯張りを中断させる一方、給湯ミスト運転が行われている間にふろ湯張り指令が出力されたとしてもその給湯ミスト運転のための給湯を優先させてふろ湯張りの実行を待機させる、という制御が行われることになる。これらに対処するために、本実施形態では、ふろ湯張り指令が出力されているというふろ湯張り情報を熱源機コントローラ２３の情報送信手段としての情報送信部２３ａからミストユニットコントローラ３２に送信させ、ミストユニットコントローラ３２においてはふろ湯張り情報を受信しているか否かによって給水ミスト運転か給湯ミスト運転かに切換制御するようにしたものである。
【００４４】
例えば図５に示すように、ミストユニットコントローラ３２では、給湯ミスト運転を開始するにあたり、まず、情報送信部２３ａからのふろ湯張り情報の受信があるか否かを判定し（ステップＳＡ１）、受信がなければ熱源機２からの給湯を受けて給湯ミスト運転を開始する（ステップＳＡ１でＮＯ）。その際、給水電磁弁（同図には「給水弁」と表示）６３１が現在開いていれば閉じた上で給湯電磁弁（同図には「給湯弁」と表示）６１１を開け（ステップＳＡ２でＹＥＳ，ステップＳＡ３，ＳＡ４）、給水電磁弁６３１が閉じていれば直ぐに給湯電磁弁６１１を開ける（ステップＳＡ２でＮＯ，ステップＳＡ４）。そして、ステップＳＡ１に戻りふろ湯張り情報の受信があるか否かを監視する。
【００４５】
逆に、上記のステップＳＡ１でふろ湯張り情報の受信があれば、給水路６３からの給水を受けて給水ミスト運転を行う（ステップＳＡ１でＹＥＳ）。その際、給湯電磁弁６１１が現在開いていれば閉じた上で給水電磁弁６３１を開け（ステップＳＡ５でＹＥＳ，ステップＳＡ６，ＳＡ７）、給湯電磁弁６１１が閉じていれば直ぐに給水電磁弁６３１を開ける（ステップＳＡ５でＮＯ，ステップＳＡ７）。そして、ステップＳＡ１に戻る。
【００４６】
一方、熱源機コントローラ２３では、図６に示すように、ふろ湯張り指令が出力されると、ふろ湯張り指令が出力されている旨のふろ湯張り情報を情報送信部２３ａからミストユニットコントローラ３２に送信し（ステップＳＢ１）、給湯使用が現在行われていないことを確認した上でふろ湯張りを実行する、すなわち、注湯電磁弁２４３を開いて給湯系２２から浴槽Ｂに注湯する（ステップＳＢ２でＹＥＳ，ステップＳＢ３）。給湯使用が現在行われているときには、それが終了するまで上記のふろ湯張りの実行を待機させる（ステップＳＢ２でＮＯ，ステップＳＢ４）。
【００４７】
以上の第１実施形態によれば、給湯ミスト運転中にふろ湯張り指令が出力されても、給湯ミスト運転に代えて給水ミスト運転に切換えられるため、ミスト噴霧のためにふろ湯張りの実行を待機させることなく直ぐに実行可能となると同時に、ミスト噴霧も中断させることなく継続させることができることになる。その一方、ふろ湯張りの実行中にミスト運転の開始指令が出力されても、そのミスト運転が給湯ミスト運転ではなくて給水ミスト運転により行われるため、ふろ湯張りの実行を中断させることなく継続させることができると同時に、ミスト噴霧も直ぐに得ることができることになる。これにより、熱源機２側の制御事情に起因してミスト噴霧による快適性の享受が阻害されることなく、ふろ湯張り機能と、ミスト噴霧機能とを両立させて、ユーザに快適性を享受させることができるようになる。
【００４８】
なお、上記の給湯ミスト運転から給水ミスト運転への切換の際には、その切換に併せて、リモコン７を用いてユーザに対する案内報知を行うようにしてもよい。すなわち、リモコン７の表示部への表示又は音声出力部への音声出力によって、ミスト用水の自動切換えを実行した旨、故障ではない旨、及び／又は、しばらくすれば復帰する旨等をユーザに対し案内報知する。なお、かかるユーザに対する案内報知制御を実行する点は以下の第２実施形態においても同様である。
【００４９】
＜第２実施形態＞
第２実施形態は、熱源機２の熱源機コントローラ２３が給湯系２２におけるフェイルセーフを図るための安全制御手段を備えている場合において、不都合を回避するためにミスト制御手段８で実行される対策制御である。
【００５０】
上記熱源機コントローラ２３が備える上記安全制御手段は、燃焼バーナ２２３の燃焼開始に伴う給湯先への給湯開始から給湯状態が連続する限り内蔵のタイマ（図示省略）のカウントを続行し、そのタイマカウント（給湯状態の連続）が設定経過時間（例えば６０分間）を超えるときには、ユーザが意図しない事情に基づく給湯の連続であると判断して、燃焼バーナ２２３の燃焼を強制停止し出湯路２２５の流量調整弁２２７を全閉に切換えて給湯を強制停止するようになっている。上記の意図しない事情とは、例えば台所カラン２６１等の閉め忘れや、機器故障等の発生が挙げられる。なお、かかる安全制御は給湯系２２を対象とするものであり、温水循環系２１は対象とされることはない。
【００５１】
これの対策、すなわち、給湯ミスト運転（給湯再加熱によるミスト噴霧）を上記設定経過時間以上に連続させると、給湯が強制停止されてしまいミスト噴霧が停止されてしまうことを回避するために、ミスト制御手段８、中でも特にミストユニットコントローラ３２は次のような制御を備えている。
【００５２】
すなわち、ミストユニットコントローラ３２は、リモコン７からの入力操作により、又は、制御上の設定により、給湯ミスト運転が開始される場合には、図７に示すように、給湯電磁弁６１１を開けて熱源機２からの給湯をミスト用水として受けてミスト噴霧を開始し、熱源機コントローラ２３から給湯連続燃焼が時間Ｔ以上経過した旨を受信しない限りはその給湯ミスト運転を継続させる（ステップＳＣ１，ステップＳＣ２でＮＯ）。一方、給湯ミスト運転の継続中に、熱源機コントローラ２３から給湯連続燃焼が時間Ｔ以上経過した旨を受信すれば、給湯ミスト運転から給水ミスト運転に切換える（ステップＳＣ１，ステップＳＣ２でＹＥＳ）。具体的には、給水電磁弁６３１を開けた上で（ステップＳＣ３）、給湯電磁弁６１１を閉じる（ステップＳＣ４）。
【００５３】
一方、熱源機コントローラ２３では、上記の給湯ミスト運転のための給湯や、その他の給湯先２６１等への給湯を行っている間、つまり燃焼が連続して継続している間はタイマのカウント値に基づき給湯のための連続燃焼が時間Ｔを経過したか否かを監視する（ステップＳＤ１でＮＯ）。そして、連続燃焼状態で時間Ｔが経過すれば、連続燃焼で時間Ｔ以上経過した旨を情報送信部２３ａからミストユニットコントローラ３２に送信する（ステップＳＤ１でＹＥＳ，ステップＳＤ２）。上記の時間Ｔとしては、熱源機コントローラ２３の安全制御手段により燃焼が強制停止される設定経過時間（例えば６０分間）よりも事前切換が可能な程度の余裕時間を確保できる程度で短い時間値（例えば５５分間）を設定すればよい。
【００５４】
以上の第２実施形態によれば、給湯ミスト運転が上記の安全制御上の設定経過時間以上に継続する場合や、他の給湯先での給湯使用により連続燃焼状態が上記の設定経過時間以上に亘る場合に陥ったとしても、その経過時間に関する情報を通信により事前に取得して給湯ミスト運転から給水ミスト運転に切換えるようにしているため、ミスト噴霧を中断させたり、ユーザに余分な操作をさせたりすることなく、ミスト噴霧を継続して行わせることができるようになる。これにより、熱源機２側の安全制御に起因してミスト噴霧が中断される事態を回避して、長時間に亘るとしてもミスト噴霧を継続して得ることができるようになる。
【００５５】
そして、上記の如く給湯ミスト運転から給水ミスト運転に切換えた後、全ての給湯使用が停止されて熱源機コントローラ２３の上記のタイマカウントのキャンセル・リセット、そして安全制御のリセットが行われて燃焼再開が可能になれば、そのリセット情報の送信を受けて給水ミスト運転から給湯ミスト運転に再び切換えるようにすればよい。
【００５６】
なお、熱源機コントローラ２３からの時間情報の送信（伝達）としては、例えば図８（ｂ）に示すように連続燃焼が所定の単位時間Ｔｄ（例えば１５分）経過する毎にその経過したことの情報を送信するようにしてもよい。すなわち、給湯継続中には、連続燃焼時間が上記の単位時間Ｔd経過する毎に（ステップＳＥ１でＹＥＳ）、連続燃焼状態で単位時間Ｔｄが経過した旨をミストユニットコントローラ３２に送信し（ステップＳＥ２）、これを繰り返す。そして、ミストユニットコントローラ３２では送信されてくる単位時間Ｔdを積算し、上記の時間Ｔ又は設定経過時間に到達すれば、給湯ミスト運転を給水ミスト運転に切換えるようにする。あるいは、熱源機コントローラ２３から給湯開始時点に関する情報の送信を受けて、ミストユニットコントローラ３２側に設置したタイマにて連続燃焼時間の経過を監視するようにしてもよい。ミストユニットコントローラ３２が独自のタイマを備えるようにすれば、汎用品である熱源機２に対しミストユニット３等を事情に応じて組み合わせたりすることが容易に可能となる。
【００５７】
＜他の実施形態＞
なお、本発明は上記の第１，第２実施形態に限定されるものではなく、その他種々の実施形態を包含するものである。すなわち、上記各実施形態において、浴室乾燥機とは切り離してミスト発生装置として単独で使用してもよく、又、対象の室内空間としては浴室空間Ｒに限らずサウナのみを目的とした室内空間等のいずれの室内空間でもよい。
【００５８】
上記第２実施形態での安全制御の内容として、燃焼バーナ２２３の燃焼を強制停止し出湯路２２５の流量調整弁２２７を全閉に切換えて給湯を強制停止するようにしても、流量調整弁２２７の全閉切換えを行わずに燃焼バーナ２２３の燃焼を強制停止するだけにしても、いずれでもよい。
【００５９】
又、上記各実施形態では給湯電磁弁６１１と給水電磁弁６３１との組み合わせによりミスト用水切換手段を構成しているが、これに限らず、例えば給湯配管と給水配管との合流部に配設した三方切換弁等によりミスト用水切換手段を構成してもよい。
【００６０】
さらに、上記各実施形態では室外機としてのミストユニット３と、室内機としての室内ユニット４とを互いに独立させて設置するように構成された場合について説明しているが、これに限らず、ミストユニット（室外機）３の部分を浴室の天井裏に設置するようにして、ミストユニット（室外機）３と室内ユニット（室内機）４とを互いに一体化した一体型に構成してもよい。
【図面の簡単な説明】
【００６１】
【図１】本発明の実施形態を示す模式図である。
【図２】熱源機を示す拡大模式図である。
【図３】室内ユニットの断面説明図である。
【図４】制御ブロック図である。
【図５】第１実施形態の制御を示すフローチャートである。
【図６】第１実施形態の熱源機側の制御を示すフローチャートである。
【図７】第２実施形態の制御を示すフローチャートである。
【図８】図８（ａ）は第２実施形態の熱源機側の制御を示すフローチャートであり、図８（ｂ）も熱源機側の制御であるが図８（ａ）とは異なる制御を示すフローチャートである。
【符号の説明】
【００６２】
２              熱源機
３              ミストユニット（ミスト発生装置）
４              室内ユニット（浴室乾燥機）
２３            熱源機コントローラ（安全制御手段）
２３ａ          情報送信部（情報送信手段）
３１            液・液熱交換器
３２            ミストユニットコントローラ（供給切換制御手段）
６１            給湯配管
６３            給水配管
６１１          給湯電磁弁（ミスト用水切換手段）
６３１          給水電磁弁（ミスト用水切換手段）
【図１】
0004671114.tif 000002
【図２】
0004671114.tif 000003
【図３】
0004671114.tif 000004
【図４】
0004671114.tif 000005
【図５】
0004671114.tif 000006
【図６】
0004671114.tif 000007
【図７】
0004671114.tif 000008
【図８】
0004671114.tif 000009